(57)【要約】【課題】羽根車の遮断部が受ける水圧の周方向分布の偏りを抑えるのに適した吐水部品を提供する。【解決手段】複数のシャワー孔１６ｆが表裏を貫通する散水部と、散水部の裏側に配置され、水流を羽根に受けることで回転する羽根車と、を備え、複数のシャワー孔１６ｆは、散水部の裏面を羽根車の回転軸方向に見て、複数の同心円上に環状に並び、かつ、羽根車の回転軸線から直線状に延びる複数の半径線Ｌｃのそれぞれの上に一つ又は複数配置され、羽根車は、シャワー孔１６ｆへの水の流れを遮断するための遮断部１８ｂと、羽根車の回転時にシャワー孔１６ｆを断続的に開放するための複数の通水孔１８ｃと、を有し、複数の通水孔１８ｃは、ほぼ全ての半径線Ｌｃのそれぞれにつき、その半径線Ｌｃ上の何れかのシャワー孔１６ｆを開放するように、その位置関係が設定されていることを特徴とする。【選択図】図７
2018051488.tif 000002
【特許請求の範囲】
【請求項１】
複数のシャワー孔が表裏を貫通する散水部と、
前記散水部の裏側に配置され、水流を羽根に受けることで回転する羽根車と、を備え、
前記複数のシャワー孔は、前記散水部の裏面を前記羽根車の回転軸方向に見て、複数の同心円上に環状に並び、かつ、前記羽根車の回転軸線から直線状に延びる複数の半径線のそれぞれの上に一つ又は複数配置され、
前記羽根車は、前記シャワー孔への水の流れを遮断するための遮断部と、前記羽根車の回転時に前記シャワー孔を断続的に開放するための複数の通水孔と、を有し、
前記複数の通水孔は、ほぼ全ての前記半径線のそれぞれにつき、その半径線上の何れかの前記シャワー孔を開放するように、その位置関係が設定されていることを特徴とする吐水部品。
【請求項２】
複数のシャワー孔が表裏を貫通する散水部と、
前記散水部の裏側に配置され、水流を羽根に受けることで回転する羽根車と、を備え、
前記複数のシャワー孔は、前記散水部の裏面を前記羽根車の回転軸方向に見て、複数の同心円上に環状に並び、かつ、前記羽根車の回転軸線から直線状に延びる複数の半径線のそれぞれの上に一つ又は複数配置され、
前記羽根車は、前記シャワー孔への水の流れを遮断するための遮断部と、前記羽根車の回転時に前記シャワー孔を断続的に開放するための複数の通水孔と、を有し、
前記複数の通水孔は、前記回転軸方向に見て、ほぼ全ての前記半径線のそれぞれにつき、その半径線上に何れかの通水孔が配置され、かつ、少なくとも一つの前記シャワー孔を開放するように、その位置関係が設定されていることを特徴とする吐水部品。
【請求項３】
前記複数の通水孔のそれぞれは、前記複数の同心円のうちの何れかの同心円に対応し、前記羽根車の回転軸方向に見て、その対応する同心円の上を通り、
一つの同心円に対応する前記通水孔の周方向寸法の合計値は、その同心円の周長の半分と同等の大きさである請求項１または２に記載の吐水部品。
【請求項４】
前記複数の通水孔のそれぞれは、前記複数の同心円のうちの何れかの同心円に対応し、前記羽根車の回転軸方向に見て、その対応する同心円の上を通り、
径方向に隣り合う前記同心円に対応する別々の前記通水孔は、前記回転軸方向に見て周方向にずれた位置に設けられる請求項１から３のいずれかに記載の吐水部品。
【請求項５】
前記複数の通水孔のそれぞれは、前記複数の同心円のうちの何れかの同心円に対応し、前記回転軸方向に見て、その対応する同心円の上を通る円弧状をなす請求項１から４のいずれかに記載の吐水部品。
【発明の詳細な説明】
【技術分野】
【０００１】
本発明は、吐水装置に用いられる吐水部品に関し、詳しくは、パルス状のシャワー水を断続的に散水できる吐水部品に関する。
【背景技術】
【０００２】
従来より、パルス状のシャワー水を断続的に散水できる吐水装置が提案されている。この一例として、特許文献１には、複数のシャワー孔が形成された散水板（散水部）と、散水板の裏側に配置され、水流を羽根に受けることで回転する羽根車とを備えた吐水装置が開示されている。この羽根車は、シャワー孔への水の流れを遮断する遮断部と、遮断部に形成されるとともにシャワー孔を開放する通水孔とを有している。この羽根車が回転すると、羽根車の遮断部と通水孔とによりシャワー孔の遮断と開放が断続的に繰り返され、パルス状のシャワー水がシャワー孔から断続的に散水される。
【先行技術文献】
【特許文献】
【０００３】
【特許文献１】特開２０１４−１５０８２２号公報
【発明の概要】
【発明が解決しようとする課題】
【０００４】
特許文献１の羽根車は、その周方向の一部分にのみ通水孔が形成され、残りの多くの部分が遮断部とされている。このため、通水孔の位置を変更すると、その通水孔の位置によっては、羽根車の遮断部が受ける水圧の周方向分布に大きな偏りが生じてしまう。このような水圧の周方向分布に大きな偏りがあると、羽根車の遮断部と散水部の接触箇所に局所的な荷重が加わり易くなるため、その改善が望まれる。
【０００５】
本発明は、このような課題に鑑みてなされ、その目的は、羽根車の遮断部が受ける水圧の周方向分布の偏りを抑えるのに適した吐水部品を提供することにある。
【課題を解決するための手段】
【０００６】
上記の課題を解決するための本発明の第１態様は吐水部品である。第１態様の吐水部品は、複数のシャワー孔が表裏を貫通する散水部と、前記散水部の裏側に配置され、水流を羽根に受けることで回転する羽根車と、を備え、前記複数のシャワー孔は、前記散水部の裏面を前記羽根車の回転軸方向に見て、複数の同心円上に環状に並び、かつ、前記羽根車の回転軸線から直線状に延びる複数の半径線のそれぞれの上に一つ又は複数配置され、前記羽根車は、前記シャワー孔への水の流れを遮断するための遮断部と、前記羽根車の回転時に前記シャワー孔を断続的に開放するための複数の通水孔と、を有し、前記複数の通水孔は、ほぼ全ての前記半径線のそれぞれにつき、その半径線上の何れかの前記シャワー孔を開放するように、その位置関係が設定されていることを特徴とする。
【０００７】
第１態様の吐水部品によれば、羽根車の回転中心から見て、その遮断部の全周範囲の中で適度に周方向に分散した位置に通水孔が存在する構造にし易くなる。よって、羽根車の遮断部の全周範囲で満遍なく圧抜きできる状態に近づけ易くなり、その遮断部が受ける水圧の周方向分布の偏りを抑え易くなる。
【０００８】
本発明の第２態様は吐水部品である。第２態様の吐水部品は、複数のシャワー孔が表裏を貫通する散水部と、前記散水部の裏側に配置され、水流を羽根に受けることで回転する羽根車と、を備え、前記複数のシャワー孔は、前記散水部の裏面を前記羽根車の回転軸方向に見て、複数の同心円上に環状に並び、かつ、前記羽根車の回転軸線から直線状に延びる複数の半径線のそれぞれの上に一つ又は複数配置され、前記羽根車は、前記シャワー孔への水の流れを遮断するための遮断部と、前記羽根車の回転時に前記シャワー孔を断続的に開放するための複数の通水孔と、を有し、前記複数の通水孔は、前記回転軸方向に見て、ほぼ全ての前記半径線のそれぞれにつき、その半径線上に何れかの通水孔が配置されるように、その位置関係が設定されていることを特徴とする。
【０００９】
第２態様の吐水部品によれば、羽根車の回転中心から見て、その遮断部の全周範囲の中で適度に周方向に分散した位置に通水孔が存在する構造にし易くなる。よって、羽根車の遮断部の全周範囲で満遍なく圧抜きできる状態に近づけ易くなり、その遮断部が受ける水圧の周方向分布の偏りを抑え易くなる。
【図面の簡単な説明】
【００１０】
【図１】第１実施形態の吐水部品を用いた吐水装置を示す断面図である。
【図２】第１実施形態の吐水部品を周辺構造とともに拡大して示す断面図である。
【図３】図２の矢視Ｑから散水板の散水部や周辺構造を見た図である。
【図４】第１実施形態の羽根車の斜視図である。
【図５】第１実施形態の羽根車を回転軸方向Ｐの反散水方向側から見た図である。
【図６】第１実施形態の羽根車の羽根を省略して図５と同じ視点から羽根車を見た図である。
【図７】第１実施形態の羽根車の遮断部を複数のシャワー孔とともに示す図である。
【図８】第２実施形態の羽根車を図５と同じ視点から見た図である。
【図９】第２実施形態の羽根車の遮断部を図７と同じ視点から見た図である。
【図１０】第３実施形態の羽根車を図５と同じ視点から見た図である。
【図１１】第３実施形態の羽根車の遮断部を図７と同じ視点から見た図である。
【図１２】第４実施形態の羽根車を図５と同じ視点から見た図である。
【図１３】第４実施形態の羽根車の遮断部を図７と同じ視点から見た図である。
【図１４】第５実施形態の羽根車を図５と同じ視点から見た図である。
【図１５】第５実施形態の羽根車の遮断部を図７と同じ視点から見た図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。また、共通点のある別々の構成要素には、共通する符号の末尾に「−１、−２」等と付すことで区別し、総称するときはこれらを省略する。
【００１２】
（第１の実施の形態）
図１は、第１実施形態の吐水部品１０を用いた吐水装置１２を示す断面図である。本実施形態の吐水装置１２は浴室に用いられるシャワーヘッドである。吐水装置１２は、シャワー水を散水するための吐水部品１０と、吐水部品１０が装着される中空構造の装置本体１４とを備える。装置本体１４は、使用者が握るための握り部１４ａと、握り部１４ａの先端部に設けられる頭部１４ｂとを有する。また、装置本体１４は、装置本体１４の内部に設けられ、給水源から送られる水が通る通水路１４ｃと、頭部１４ｂに形成され、吐水部品１０が装着される装着孔１４ｄと、吐水部品１０と装置本体１４の内面との間に形成され、通水路１４ｃから水が流入する流入室１４ｅとを有する。
【００１３】
図２は、吐水部品１０を周辺構造とともに拡大して示す断面図である。吐水部品１０は、散水板１６と、羽根車１８と、水流噴射部材２０とを備える。
【００１４】
散水板１６は、装置本体１４の装着孔１４ｄを閉じるキャップとして機能する。散水板１６は、装置本体１４の装着孔１４ｄを覆う板状部１６ａと、板状部１６ａから装着孔１４ｄの奥側に向けて突き出る筒状の周壁部１６ｂとを有する。周壁部１６ｂの外周面には雄ねじ部１６ｃが設けられ、装着孔１４ｄの内周面には雄ねじ部１６ｃがねじ込まれる雌ねじ部１４ｆが設けられる。本実施形態の散水板１６は、これら雄ねじ部１６ｃと雌ねじ部１４ｆを用いたねじ構造により、装置本体１４の装着孔１４ｄに装着される。
【００１５】
散水板１６は、更に、複数のシャワー孔１６ｆが表裏を貫通する散水部１６ｇを有する。散水部１６ｇは、複数のシャワー孔１６ｆからシャワー水を散水するためのものである。散水部１６ｇは、羽根車１８の外径より僅かに大きい外径をもつ円形部分であり、板状部１６ａの周壁部１６ｂの突出箇所より内周側部分に設けられる。以下、羽根車１８の回転軸方向Ｐに沿った二方向に関して、散水部１６ｇの散水方向Ｐａと、散水方向Ｐａとは反対方向の反散水方向Ｐｂとに区別して説明する。散水部１６ｇは後述する。
【００１６】
羽根車１８は、散水板１６の散水部１６ｇの裏側に配置される。散水板１６の散水部１６ｇの裏側には周壁部１６ｂの内側に羽根車収納室２２が形成され、羽根車１８は羽根車収納室２２に回転可能に収納される。羽根車収納室２２は、散水方向Ｐａ側が散水部１６ｇにより閉じられており、反散水方向Ｐｂ側には羽根車収納室２２を開放する開放口２２ａが形成されている。羽根車１８は後述する。
【００１７】
水流噴射部材２０は、羽根車１８を挟んで散水部１６ｇとは羽根車１８の回転軸方向Ｐの反対側、つまり、羽根車１８に対して反散水方向Ｐｂ側に配置される。水流噴射部材２０は、羽根車収納室２２の開放口２２ａを閉じる蓋体として機能する。散水板１６の周壁部１６ｂの先端側部分は内周側部分より外周側部分が突出しており、この外周側部分の内周側には水流噴射部材２０が配置される。水流噴射部材２０は、散水板１６と装置本体１４の内面との間に配置され、これらと当接することで、散水板１６に対して羽根車１８の回転軸方向Ｐに位置決めされる。また、水流噴射部材２０は、水流噴射部材２０と散水板１６との何れか一方に設けた凹部（不図示）と、他方に設けた凸部（不図示）との嵌め合いにより、散水板１６に対して周方向に位置決めされる。
【００１８】
水流噴射部材２０は、羽根車収納室２２を反散水方向Ｐｂ側から覆う円形の板状部２０ａと、板状部２０ａの中央部から羽根車収納室２２に向けて突出する軸部２０ｂと、流入室１４ｅと羽根車収納室２２とを連通させる複数の噴射孔２０ｃとを有する。
【００１９】
噴射孔２０ｃは、装置本体１４の流入室１４ｅ内に流入した水を通過させて羽根車収納室２２内に噴射するためのものである。噴射孔２０ｃは、板状部２０ａを貫通しており、羽根車１８の周方向に沿って螺旋状に延びるように形成される。本実施形態の噴射孔２０ｃは、複数を一組として羽根車１８の径方向に並んで形成されており、噴射孔２０ｃの組は羽根車１８の周方向に予め定められた角度ピッチで設けられている。噴射孔２０ｃからは羽根車１８の周方向の速度成分をもつ水流が噴射される（方向Ｐｃ参照）。噴射孔２０ｃは、噴射孔２０ｃから噴射される水流が羽根車１８の羽根（後述する）に当たるように形状が設定される。羽根車１８の羽根に水流噴射部材２０から噴射される水流を当てることで羽根車１８を回転させることができる。
【００２０】
図３は、図２の矢視Ｑから散水板１６の散水部１６ｇや周辺構造を見た図である。本図は、羽根車１８の回転軸方向Ｐに散水部１６ｇの裏面１６ｄを見た図でもある。複数のシャワー孔１６ｆは、散水部１６ｇの裏面１６ｄに複数の同心円２４上に環状に並んでいる。本実施形態の複数のシャワー孔１６ｆは４重の同心円２４上に並んでいる。また、本実施形態の複数のシャワー孔１６ｆは、それぞれの同心円２４上にて予め定められた角度ピッチで羽根車１８の回転軸線Ｃ周りに環状に並んでいる。本実施形態の複数のシャワー孔１６ｆは、最内周側の同心円２４−１と外周側に隣り合う同心円２４−２上に４５°ピッチで８個並んでおり、最外周側の同心円２４−４と内周側に隣り合う同心円２４−３上に２２．５°ピッチで１６個並んでいる。
【００２１】
複数のシャワー孔１６ｆは、羽根車１８の回転軸線Ｃ（回転中心）から直線状に延びる複数の半径線Ｌｃそれぞれの上に複数配置される。この半径線Ｌｃは、羽根車１８の回転軸線Ｃから延びる半直線である。以下、これら半径線Ｌｃに関して、図中最も上側にあるものから時計回り方向に順に「−１、−２、・・・、−１６」と符号を付して説明する。
【００２２】
図４は、羽根車１８の斜視図であり、図５は、羽根車１８を回転軸方向Ｐの反散水方向Ｐｂ側から見た図である。羽根車１８は、ボス部１８ａと、遮断部１８ｂと、複数の通水孔１８ｃと、外周壁部１８ｄと、複数の羽根１８ｅと、を備える。
【００２３】
ボス部１８ａは、羽根車１８の中心部に設けられ、筒状をなす。遮断部１８ｂは、ボス部１８ａの外周側に設けられ、円形の板状をなしている。外周壁部１８ｄは、羽根車１８の遮断部１８ｂの外周端部から反散水方向Ｐｂに突出し、円形の筒状をなす。
【００２４】
図２に示すように、ボス部１８ａの内側には水流噴射部材２０の軸部２０ｂが挿通され、羽根車１８は軸部２０ｂに対して回転自在に支持される。羽根車１８は、水流噴射部材２０の軸部２０ｂを通る回転軸線Ｃ周りに回転自在に設けられることになる。遮断部１８ｂは、散水板１６のシャワー孔１６ｆへの回転軸方向Ｐでの水の流れを遮断するためのものであり、散水板１６の散水部１６ｇの裏側に配置される。
【００２５】
図６は、羽根車１８の羽根１８ｅを省略して図５と同じ視点から羽根車１８を見た図である。本図では、複数のシャワー孔１６ｆも示す。複数の通水孔１８ｃは、羽根車１８の回転時に断続的にシャワー孔１６ｆを開放するためのものである。複数の通水孔１８ｃは、複数のシャワー孔１６ｆが並ぶ複数の同心円２４のうちの何れかの同心円２４に対応している。複数の通水孔１８ｃは、羽根車１８の回転軸方向Ｐに見て、対応する同心円２４の上を通る円弧状をなしている。また、通水孔１８ｃは、対応する同心円２４の上のみを通り、対応しない他の同心円２４の上を通らないように、その径方向寸法が設定されている。また、通水孔１８ｃは、その外周側及び内周側の両方に遮断部１８ｂの一部を残すように形成される。
【００２６】
図５に戻り、複数の羽根１８ｅは、羽根車１８の回転軸線Ｃ周りに予め定められた角度ピッチで設けられる。複数の羽根１８ｅは、羽根車１８の遮断部１８ｂから反散水方向Ｐｂに突出する。本実施形態の羽根１８ｅはボス部１８ａと外周壁部１８ｄとの間に配置される。図２では羽根１８ｅを省略し、その配置箇所のみ二点鎖線Ｌａで示す。羽根１８ｅは、羽根車１８を反散水方向Ｐｂ側から見て、羽根車１８の回転中心側から外周側に放射状に延びる放射線Ｌｂと重なる位置を通るように設けられる。複数の羽根１８ｅは、本実施形態において、羽根車１８を反散水方向Ｐｂ側から見て、複数の通水孔１８ｃと重なる位置にはないように、言い換えると、遮断部１８ｂと重なる位置にのみあるように設けられる。本実施形態の羽根１８ｅは、羽根車１８の周方向の一方側（時計回り方向）にゆるやかな凸となる円弧状をなす。
【００２７】
図２に示すように、遮断部１８ｂの散水方向Ｐａ側の外面には複数の突起１８ｇが設けられる。複数の突起１８ｇは、羽根車１８の回転時、散水部１６ｇと遮断部１８ｂとの接触に伴う摩擦抵抗を軽減するためのものである。複数の突起１８ｇは、遮断部１８ｂの外面に対して周方向に予め定められた角度ピッチで設けられており、羽根車１８の回転時に散水部１６ｇの裏面１６ｄを摺動する。
【００２８】
以上の羽根車１８は、水流噴射部材２０から噴射された水流を羽根１８ｅに受けることで羽根車１８の回転軸線Ｃ周りに回転する。羽根車１８が回転すると、羽根車１８の遮断部１８ｂがシャワー孔１６ｆへの水の流れを遮断する状態と、羽根車１８の通水孔１８ｃがシャワー孔１６ｆを開放して水の流れを許容する状態とが断続的に繰り返される。羽根車１８の遮断部１８ｂと通水孔１８ｃとがシャワー孔１６ｆの遮断と開放を断続的に繰り返すことで、複数のシャワー孔１６ｆからパルス状のシャワー水が断続的に散水される。
【００２９】
図７は、羽根車１８の遮断部１８ｂを複数のシャワー孔１６ｆとともに示す図である。複数の通水孔１８ｃは、ほぼ全ての半径線Ｌｃのそれぞれにつき、その半径線Ｌｃ上の何れかのシャワー孔１６ｆを開放するように、複数のシャワー孔１６ｆに対するその位置関係が設定されている。これは、散水板１６の散水部１６ｇに対する羽根車１８の相対的な回転位置のなかで、何れかの回転位置で満たされていればよい。本明細書での「ほぼ全て」には、「全て」の意味と、「全てに近い数」の意味との両方が含まれる。本実施形態では、１６個の半径線Ｌｃのうち、その全て（１６個）の半径線Ｌｃのそれぞれにつき、前述の位置関係を満たしている。
【００３０】
たとえば、最外周側の通水孔１８ｃ−４は、第１半径線Ｌｃ−１〜第８半径線Ｌｃ−８それぞれの上のシャワー孔１６ｆを開放するように、その位置関係が設定されている。また、最外周側の通水孔１８ｃ−４の二つ隣の内周側の通水孔１８ｃ−２は、第１半径線Ｌｃ−１、第３半径線Ｌｃ−３、第５半径線Ｌｃ−５、第７半径線Ｌｃ−７の上のシャワー孔１６ｆを開放するように、その位置関係が設定されている。最内周側の通水孔１８ｃ−１の二つ隣の外周側の通水孔１８ｃ−３は、第９半径線Ｌｃ−９〜第１６半径線Ｌｃ−１６の上のシャワー孔を開放するように、その位置関係が設定されている。最内周側の通水孔１８ｃ−１は、第９半径線Ｌｃ−９、第１１半径線Ｌｃ−１１、第１３半径線Ｌｃ−１３、第１５半径線Ｌｃ−１５の上のシャワー孔１６ｆを開放するように、その位置関係が設定されている。
【００３１】
（Ａ）本実施形態によれば、ほぼ全ての半径線Ｌｃのそれぞれにつき、その半径線Ｌｃ上のシャワー孔１６ｆを開放するように通水孔１８ｃが設けられる。よって、羽根車１８の回転中心から見て、その遮断部１８ｂの全周範囲の中で適度に周方向に分散した位置に通水孔１８ｃが存在する構造にし易くなる。このため、羽根車１８の通水孔１８ｃからシャワー孔１６ｆを通して水を送り出すことで、その通水孔１８ｃが回転中心Ｃを挟んだ二カ所にしかない従来の構造と比べて、その遮断部１８ｂの全周範囲で満遍なく圧抜きできる状態に近づけ易くなる。この状態には、同心円２４上に並ぶシャワー孔１６ｆの数が増し、半径線Ｌｃの数が増すほど近づけ易くなる。特に、複数の通水孔１８ｃは、羽根車１８の径方向に延びる微少なスリットではなく、羽根車１８の周方向に延びる円弧状をなしている。よって、羽根車１８の遮断部１８ｂの全周範囲の中で通水孔１８ｃが占める周方向での割合を大きくでき、その遮断部１８ｂの全周範囲で満遍なく圧抜きできる状態により近づけ易くなる。
【００３２】
このため、本実施形態によれば、羽根車１８の遮断部１８ｂが受ける水圧の周方向分布の偏りを抑え易くなる。この結果、羽根車１８の遮断部１８ｂと散水部１６ｇの接触箇所に局所的に荷重が加わり難くなり、羽根車１８の摩耗を抑え易くなることで羽根車１８の耐久性の向上を図れる。
【００３３】
また、羽根車１８の遮断部１８ｂの全周範囲で満遍なく圧抜きできる状態に近づけるうえで、羽根車１８の遮断部１８ｂに通水孔１８ｃ以外の余計な孔を形成せずともよくなる。このため、羽根車収納室２２内の内圧を高め易くなり、シャワー孔１６ｆから散水されるシャワー水の流速を高めることで、シャワー水の浴び心地をより良好にできる。
【００３４】
（Ｂ）また、半径線Ｌｃ上の何れかのシャワー孔１６ｆに通水孔１８ｃから水を送り出し易くなり、ほぼ全ての半径線Ｌｃそれぞれにつき、その半径線Ｌｃ上の何れかのシャワー孔１６ｆから散水できる状況にし易くなる。よって、羽根車１８の摩耗等の影響によって羽根車１８が回転不能になった場合でも、散水部１６ｇの散水箇所に周方向分布の偏りが生じるのを抑えられ、散水部１６ｇの全周範囲で満遍なく散水できる状態にし易くなる。このため、羽根車１８が回転不能になった場合でも、散水部１６ｇの散水箇所に周方向分布の偏りがあるときと比べて、シャワー水の浴び心地や、シャワー水の散水状況の見た目への影響を抑えられる。
【００３５】
なお、ある同心円２４上にある複数のシャワー孔１６ｆに関して、周方向に隣り合うシャワー孔１６ｆの最大間隔の周方向寸法をＬｆとする。ここでの周方向寸法とは、対応する同心円２４上での周方向に沿った寸法をいう。たとえば、本実施形態では、最内周側のシャワー孔１６ｆの最大間隔の周方向寸法がＬｆー１であり、最外周側のシャワー孔１６ｆの最大間隔の周方向寸法がＬｆー４である。このとき、通水孔１８ｃの周方向寸法Ｌｄは、対応する同心円２４上で隣り合うシャワー孔１６ｆの最大間隔の周方向寸法Ｌｆより大きくなるように設定される。図７では、最外周側の通水孔１８ｃの周方向寸法Ｌｄ−４のみ示す。これにより、対応する同心円２４上にある複数のシャワー孔１６ｆのうちの何れかのシャワー孔１６ｆを通水孔１８ｃにより常時開放できる。この結果、通水孔１８ｃからシャワー孔１６ｆを通して水を安定して送り出すことができ、羽根車１８の遮断部１８ｂの全周範囲で安定して圧抜きをし易くなる。
【００３６】
本実施形態の吐水部品１０は以下の点にも特徴がある。
（Ｃ）通水孔１８ｃの周方向寸法Ｌｄを考える。一つの同心円２４に対応する通水孔１８ｃの周方向寸法Ｌｄの合計値をＬｅとする。本実施形態では各同心円２４のそれぞれに対応する通水孔１８ｃが一つであるため、この合計値Ｌｅは、同心円２４のそれぞれに対応する通水孔１８ｃそのものの周方向寸法Ｌｄと同じである。この合計値Ｌｅは、その対応する同心円２４の周長の半分と同等の大きさになる。この条件は複数の通水孔１８ｃの全てが満たしているとよい。なお、本明細書での「同等」とは比較対象となる両者が同一の場合とほぼ同一の場合との両方が含まれる。
【００３７】
これにより、羽根車１８を反散水方向Ｐｂに見たとき、対応する同心円２４上で通水孔１８ｃが開口する割合を適度に多くでき、その通水孔１８ｃからシャワー孔１６ｆを通る水の流量を適度に多くできる。この結果、複数のシャワー孔１６ｆから散水されるシャワー水の流量を適度に増やすことでシャワー水の浴び心地をより良好にできる。
【００３８】
（Ｄ）径方向に隣り合う同心円２４に対応する別々の通水孔１８ｃを考える。これら別々の通水孔１８ｃは、羽根車１８の回転軸方向Ｐの反散水方向Ｐｂ側から見て、周方向にずれた位置に設けられている。言い換えると、一の同心円２４に対応する通水孔１８ｃと、その一の同心円２４と径方向に隣り合う同心円２４に対応する通水孔１８ｃとは、径方向に重ならない位置に設けられている。たとえば、最内周側の同心円２４−１に対応する通水孔１８ｃ−１と、その同心円２４−１と径方向に隣り合う同心円２４−２に対応する通水孔１８ｃ−２とは、周方向にずれた位置であって、径方向に重ならない位置に設けられている。
【００３９】
これにより、羽根車１８の摩耗等の影響によって羽根車１８が回転不能になった場合でも、散水部１６ｇの散水箇所の径方向での分布の偏りを抑え易くなり、シャワー水の浴び心地や、シャワー水の散水状態の見た目の低下を防止できる。
【００４０】
（Ｅ）通水孔１８ｃは、好ましくは、対応する同心円２４の周長の０．２倍以上０．５５倍以下の周方向寸法をもつ円弧状をなしているとよい。この条件は複数の通水孔１８ｃの全てが満たしているとよい。この周方向寸法が対応する同心円２４の周長の０．２倍未満である場合、通水孔１８ｃからシャワー孔１６ｆに連続的に流れる水の流量が不十分になり、シャワー孔１６ｆから大粒の水滴を散水し難くなる可能性がある。また、この周方向寸法が対応する同心円２４の周長の０．５５倍超の場合、通水孔１８ｃが比較的に大きくなることで、羽根車収納室２２の内圧が不十分になる可能性がある。一方、この条件を満たしていれば、シャワー孔１６ｆから大粒の水滴を散水し易くなるうえ、羽根車収納室２２の内圧も十分に得やすくなり、これらが相まってシャワー水の浴び心地をより良好にできる。
【００４１】
（Ｆ）羽根車１８の回転軸線Ｃから通水孔１８ｃを通るように延びる半径線（半直線）の集合を想定する。この半径線の集合は、通水孔１８ｃの周方向の全部分を通るものが想定される。この半径線の集合には、羽根車１８の回転軸線Ｃのみを通り通水孔１８ｃを通らない半径線は含まれない。本実施形態において、この半径線の集合には、前述した第１半径線Ｌｃ〜第１６半径線Ｌｃが含まれる。このとき、羽根車１８の遮断部１８ｂは、何れの半径線上においても通水孔１８ｃの数が同じとなるように通水孔１８ｃが形成されている。たとえば、第１半径線Ｌｃ−１〜第１６半径線Ｌｃ−１６上では何れも通水孔１８ｃの数が二つとなる。
【００４２】
（第２の実施の形態）
図８は、第２実施形態の羽根車１８を図５と同じ視点から見た図であり、図９は、その遮断部１８ｂを図７と同じ視点から見た図である。複数の通水孔１８ｃのそれぞれは、図７では、対応する同心円２４の周長の半分と同等の周方向寸法である例を説明した。複数の通水孔１８ｃのそれぞれは、本例では、対応する同心円２４の周長の１／４と同等の周方向寸法である。また、複数の通水孔１８ｃは、一つの同心円２４上に二つのものが設けられている。一つの同心円２４に対応する二つの通水孔１８ｃは、羽根車１８の回転軸線Ｃに対して対称の位置にあるように設けられる。この他の点では、前述した（Ａ）〜（Ｆ）の条件を満たしており、これらの条件に関して第１実施形態と同様の作用効果を得られる。
【００４３】
（第３の実施の形態）
図１０は、第３実施形態の羽根車１８を図５と同じ視点から見た図であり、図１１は、その遮断部１８ｂを図７と同じ視点から見た図である。複数の通水孔１８ｃのそれぞれは、本例では、対応する同心円２４の周長の１／６より短い周方向寸法である。また、複数の通水孔１８ｃは、一つの同心円２４上に二つのものが設けられている。一つの同心円２４に対応する二つの通水孔１８ｃは、羽根車１８の回転軸線Ｃに対して対称の位置にあるように設けられる。また、本実施形態の複数の通水孔１８ｃは、前述した（Ａ）の条件の代わりに、次の条件（Ｇ）を満たすように構成される。
【００４４】
（Ｇ）複数の通水孔１８ｃは、羽根車１８の回転軸方向Ｐに見て、ほぼ全ての半径線Ｌｃのそれぞれにつき、その半径線Ｌｃ上に何れかの通水孔１８ｃが配置されるように、その位置関係が設定されている。たとえば、本実施形態の複数の通水孔１８ｃは、第１半径線Ｌｃ−１〜第１６半径線Ｌｃ−１６のそれぞれにつき、その半径線Ｌｃ上に何れかの通水孔１８ｃが配置されるように、その位置関係が設定される。
【００４５】
また、本実施形態の複数の通水孔１８ｃは、前述の位置関係を満たしつつ、少なくとも一つのシャワー孔１６ｆを開放するようにも、その位置関係が設定されている。たとえば、最内周側の通水孔１８ｃ−１は、第６半径線Ｌｃ−６上に配置されつつ、第５半径線Ｌｃ−５、第７半径線Ｌｃ−７上にある最内周側のシャワー孔１６ｆを開放するように、その位置関係が設定される。これらの位置関係は、散水板１６の散水部１６ｇに対する羽根車１８の相対的な回転位置のなかで、何れかの回転位置で満たされていればよい。
【００４６】
これにより、羽根車１８の回転中心から見て、その遮断部１８ｂの全周範囲の中で適度に周方向に分散した位置に通水孔１８ｃが存在する構造にし易くなる。このため、羽根車１８の通水孔１８ｃからシャワー孔１６ｆを通して水を送り出すことで、その通水孔１８ｃが回転中心Ｃを挟んだ二カ所にしかない従来の構造と比べて、その遮断部１８ｂの全周範囲で満遍なく圧抜きできる状態に近づけ易くなる。これにより、前述した（Ａ）と同様、羽根車１８の遮断部１８ｂが受ける水圧の周方向分布の偏りを抑え易くなる。
【００４７】
（第４の実施の形態）
図１２は、第４実施形態の羽根車１８を図５と同じ視点から見た図であり、図１３は、その遮断部１８ｂを図７と同じ視点から見た図である。複数の通水孔１８ｃのそれぞれは、対応する同心円２４の周長の半分と同等の周方向寸法である。複数の通水孔１８ｃは、一つの同心円２４上に一つのものが設けられている。この他の点では、前述した（Ａ）、（Ｂ）、（Ｃ）、（Ｅ）、（Ｆ）の条件を満たしており、これらの条件に関して第１実施形態と同様の作用効果を得られる。
【００４８】
（第５の実施の形態）
図１４は、第５実施形態の羽根車１８を図５と同じ視点から見た図であり、図１５は、その遮断部１８ｂを図７と同じ視点から見た図である。複数の通水孔１８ｃのそれぞれは、対応する同心円２４の周長の半分と同等の周方向寸法である。全ての通水孔１８ｃは、隣り合う他の通水孔１８ｃと部分的に径方向に重なる位置にあるように設けられる。この他の点では、前述した（Ｃ）、（Ｅ）、（Ｇ）の条件を満たしており、これら条件に関して他の実施形態と同様の作用効果を得られる。
【００４９】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して説明しているが、そのような表記のない内容に設計変更が許容されないわけではない。また、図面の断面に付したハッチングは、ハッチングを付した対象の材質を限定するものではない。
【００５０】
吐水部品１０は、シャワーヘッドに用いられる例を説明したが、洗面カウンター等に固定されたスパウト等に用いられてもよい。
【００５１】
複数のシャワー孔１６ｆは、複数の同心円２４上に予め定められた角度ピッチで環状に並ぶ例を説明した。複数のシャワー孔１６ｆは、同心円２４上に環状に並んでいればよく、その隣り合うシャワー孔１６ｆの角度間隔は特に限られない。複数のシャワー孔１６ｆは、羽根車１８の回転軸方向Ｐに見て、複数の半径線Ｌｃそれぞれの上に複数配置される例を説明したが、その半径線Ｌｃの上に一つ配置されていてもよい。
【００５２】
複数の羽根１８ｅは、羽根車１８を反散水方向Ｐｂ側から見て、複数の通水孔１８ｃと重なる位置にはないように設けられる例を説明したが、これに限られず、複数の通水孔１８ｃと重なる位置にあるように設けられてもよい。
【００５３】
以上の実施形態、変形例により具体化される発明を一般化すると、以下の技術的思想が導かれる。以下、発明が解決しようとする課題に記載の態様を用いて説明する。
【００５４】
第３態様の吐水部品は、第１態様または第２態様において、前記複数の通水孔のそれぞれは、前記複数の同心円のうちの何れかの同心円に対応し、前記羽根車の回転軸方向に見て、その対応する同心円の上を通り、一つの同心円に対応する前記通水孔の周方向寸法の合計値は、その同心円の周長の半分と同等の大きさであってもよい。
この態様によれば、羽根車を回転軸方向から見たとき、対応する同心円上で通水孔が開口する割合を適度に多くでき、複数のシャワー孔から散水されるシャワー水の流量を適度に増やすことでシャワー水の浴び心地をより良好にできる。
【００５５】
第４態様の吐水部品は、第１態様から第３態様のいずれかにおいて、前記複数の通水孔のそれぞれは、前記複数の同心円のうちの何れかの同心円に対応し、前記羽根車の回転軸方向に見て、その対応する同心円の上を通り、径方向に隣り合う前記同心円に対応する別々の前記通水孔は、前記羽根車の回転軸方向から見て周方向にずれた位置に設けられてもよい。
この態様によれば、羽根車が回転不能になった場合でも、散水部の散水箇所の径方向での分布の偏りを抑え易くなり、シャワー水の散水状態の見た目の低下を防止できる。
【００５６】
第５態様の吐水部品は、第１態様から第４態様のいずれかにおいて、前記複数の通水孔のそれぞれは、前記複数の同心円のうちの何れかの同心円に対応し、前記羽根車の回転軸方向に見て、その対応する同心円の上を通る円弧状をなしてもよい。
この態様によれば、羽根車の遮断部の全周範囲の中で広い範囲に通水部がある構造にし易くなり、羽根車の遮断部の全周範囲で圧抜きをし易くなる。このため、羽根車の遮断部が受ける水圧の周方向分布の偏りを抑え易くなる。
【符号の説明】
【００５７】
１０…吐水部品、１６ｆ…シャワー孔、１６ｇ…散水部、１８…羽根車、１８ｂ…遮断部、１８ｃ…通水孔、１８ｅ…羽根、２４…同心円、Ｌｃ…半径線。
【図１】
2018051488.tif 000003
【図２】
2018051488.tif 000004
【図３】
2018051488.tif 000005
【図４】
2018051488.tif 000006
【図５】
2018051488.tif 000007
【図６】
2018051488.tif 000008
【図７】
2018051488.tif 000009
【図８】
2018051488.tif 000010
【図９】
2018051488.tif 000011
【図１０】
2018051488.tif 000012
【図１１】
2018051488.tif 000013
【図１２】
2018051488.tif 000014
【図１３】
2018051488.tif 000015
【図１４】
2018051488.tif 000016
【図１５】
2018051488.tif 000017